(57)【要約】      （修正有）【課題】カバーを掛けたままでも容易に空気の出し入れをすることができるエアクッションを提供する。【解決手段】本実施の形態に係るエアクッション３は、２枚のシートの周縁部同士が固定されてなり、空気が入れられるクッション本体１と、該クッション本体１を覆う袋状のカバー４とを備えるエアクッション３において、前記２枚のシート夫々は可撓性を有し、前記２枚のシートの一方の中央部に、開閉可能な空気穴が設けられており、前記カバー４に、開閉可能であり、開いた場合に前記空気穴が露出する開口４３が設けられている。【選択図】図６
0003222871.tif 000002
【実用新案登録請求の範囲】
【請求項１】
２枚のシートの周縁部同士が固定されてなり、空気が入れられるクッション本体と、
該クッション本体を覆う袋状のカバーと
を備えるエアクッションにおいて、
前記２枚のシート夫々は可撓性を有し、
前記２枚のシートの一方の中央部に、開閉可能な空気穴が設けられており、
前記カバーに、開閉可能であり、開いた場合に前記空気穴が露出する開口が設けられていることを特徴とするエアクッション。
【請求項２】
前記２枚のシート夫々は熱可塑性ポリウレタンを用いてなることを特徴とする請求項１に記載のエアクッション。
【考案の詳細な説明】
【技術分野】
【０００１】
本考案はエアクッションに関する。
【背景技術】
【０００２】
従来、空気を利用したエアクッションが用いられている（特許文献１参照）。特許文献１に記載のエアクッションは上部シート及び下部シートを備える。上部シートの周辺部と下部シートの周辺部とは高周波で互いに接着されている。上部シートの一隅には、開閉可能な空気入出口（空気穴）が設けられている。使用者が空気入出口を開き、空気入出口から空気を吹き込むことによってエアクッションが膨らむ。エアクッションが十分に膨らんだとき、使用者は空気入出口を閉じる。膨らんだエアクッションは、例えば椅子に座るときに腰に当てられる。使用者が空気入出口を開くことによって空気入出口から空気が吹き出ると、エアクッションは萎む。
【先行技術文献】
【特許文献】
【０００３】
【特許文献１】特開２００２−１７５１７号公報
【考案の概要】
【考案が解決しようとする課題】
【０００４】
エアクッションの意匠性又は肌触り等を向上させるために、エアクッションがカバーを備えることがある。しかしながら、空気入出口がカバーで覆われていると、使用者が空気入出口を開閉させることができず、空気の吹き込み又は吹き出しに支障を来す。
【０００５】
本考案は斯かる事情に鑑みてなされたものであり、その主たる目的は、カバーを掛けたままでも容易に空気の出し入れをすることができるエアクッションを提供することにある。
【課題を解決するための手段】
【０００６】
本実施の形態に係るエアクッションは、２枚のシートの周縁部同士が固定されてなり、空気が入れられるクッション本体と、該クッション本体を覆う袋状のカバーとを備えるエアクッションにおいて、前記２枚のシート夫々は可撓性を有し、前記２枚のシートの一方の中央部に、開閉可能な空気穴が設けられており、前記カバーに、開閉可能であり、開いた場合に前記空気穴が露出する開口が設けられていることを特徴とする。
【０００７】
本実施の形態にあっては、袋状のカバーにクッション本体が覆われる。カバーの開口が開かれると、開いた開口を通して空気穴が露出する。
カバーの開口を通して空気穴が開かれ、開かれた空気穴を通して、クッション本体に空気が吹き込まれる。クッション本体に十分に空気が吹き込まれた後で、空気穴が閉じられる。また、カバーの開口が閉じられる。この状態でエアクッションが使用される。
カバーの開口が閉じられることによって空気穴が目隠しされるので、エアクッションの美観が向上する。
【０００８】
また、カバーの開口を通して空気穴が開かれ、開かれた空気穴を通して、クッション本体から空気が抜かれる。２枚のシート夫々が可撓性を有するので、クッション本体から十分に空気が抜かれた後で、エアクッション（即ちカバーが掛かったままのクッション本体）を折り畳んでコンパクトに収納することができる。
【０００９】
本実施の形態に係るエアクッションは、前記２枚のシート夫々は熱可塑性ポリウレタンを用いてなることを特徴とする。
【００１０】
本実施の形態にあっては、熱可塑性ポリウレタンを用いてなるシートは、寒冷な環境においても可撓性を有するので、クッション本体の柔軟性を維持することができる。
【考案の効果】
【００１１】
本実施の形態のエアクッションによれば、カバーを掛けたままでも容易に空気の出し入れをすることができる。
【図面の簡単な説明】
【００１２】
【図１】実施の形態に係るエアクッションが備えるクッション本体の正面図である。
【図２】クッション本体の背面図である。
【図３】クッション本体の平面図である。
【図４】クッション本体の右側面図である。
【図５】図２におけるＶ−Ｖによるクッション本体の断面図である。
【図６】エアクッションの斜視図である。
【図７】カバーの分解平面図である。
【図８】カバーの開口が閉じている状態のエアクッションを示す斜視図である。
【考案を実施するための形態】
【００１３】
以下、本考案を、その実施の形態を示す図面に基づいて詳述する。
【００１４】
図１は、実施の形態に係るエアクッションが備えるクッション本体の正面図である。
図中１はクッション本体である。クッション本体１は正面視正方形状をなす。
図２は、クッション本体１の背面図である。
図３は、クッション本体１の平面図である。底面図は平面図と対称に表れる。
図４は、クッション本体１の右側面図である。左側面図は右側面図と対称に表れる。
【００１５】
クッション本体１は正面部材１１及び背面部材１２を備える。
正面部材１１及び背面部材１２夫々は正方形状のシートである。正面部材１１及び背面部材１２夫々は可撓性を有する。
正面部材１１の四辺と背面部材１２の四辺とが互いに固定（例えば溶着）されることによって、クッション本体１が形成される。
【００１６】
クッション本体１に空気が入れられることによって、クッション本体１は座布団状に膨らむ。正面部材１１及び背面部材１２夫々の可撓性により、空気が入れられたクッション本体１は適度の柔軟性を有する。また、正面部材１１及び背面部材１２夫々の可撓性により、空気が入れられていないクッション本体１は、折り畳むことによってコンパクトに収納することができる。
【００１７】
正面部材１１及び背面部材１２夫々は、寒冷な環境下（例えば氷点下２０℃の寒冷地）においても可撓性を失わないことが望ましい。正面部材１１及び背面部材１２夫々は、例えば熱可塑性ポリウレタンを用いてなる。この場合、寒冷な環境下においてもクッション本体１の柔軟性を維持することができる。
【００１８】
クッション本体１の背面部材１２の中央部には、円形状の空気穴２が設けられている。
図５は、図２におけるＶ−Ｖによるクッション本体１の断面図である。
背面部材１２の中央部には円形状の貫通孔１２１が設けられており、貫通孔１２１には円環２１が嵌め込まれている。円環２１の内側が空気穴２として機能する。
【００１９】
空気穴２は、ヒンジ蓋２２によって開閉される。ヒンジ蓋２２の基端部は、円環２１に一体的に設けられている。ヒンジ蓋２２は栓２２１を有する。栓２２１は空気穴２に嵌脱可能である。ヒンジ蓋２２が背面部材１２の外面側から空気穴２を覆い、栓２２１が空気穴２に嵌め込まれることによって、空気穴２が閉じられる。
空気穴２は、スイング式の逆止弁２３によって開閉される。逆止弁２３の基端部は、円環２１に一体的に設けられている。逆止弁２３は、背面部材１２の内面側から空気穴２を覆う方向に付勢されている。
【００２０】
図を理解し易いように、図５には、クッション本体１が膨らんでおり、ヒンジ蓋２２及び逆止弁２３夫々が開いた状態が示されている。ヒンジ蓋２２及び逆止弁２３が両方とも開いている場合に、空気穴２を通してクッション本体１に空気が入るか、又はクッション本体１から空気が抜ける。
【００２１】
クッション本体１の内側には、複数（図中６つ）の空気室１３，１３，…が設けられている。空気室１３，１３，…は、クッション本体１の一辺に沿って並設されている。空気室１３，１３，…の並設方向は、図５に向かって左右方向である。
互いに隣り合う空気室１３，１３は、隔壁１４によって互いに隔てられている。即ち、クッション本体１には５つの隔壁１４，１４，…が設けられている。隔壁１４，１４，…は、空気室１３，１３，…の並設方向に等間隔で並んでいる。
各隔壁１４は、可撓性を有する１枚のシートである。隔壁１４の材質は、例えば正面部材１１又は背面部材１２の材質と同じである。隔壁１４は正面部材１１から背面部材１２に亘る。
【００２２】
図１〜図５に示す隔壁１４は、帯状をなす。隔壁１４の長辺の一方は、正面部材１１の内面に固定（例えば溶着）されている。同様に、隔壁１４の長辺の他方は、背面部材１２に固定されている。隔壁１４は、空気室１３，１３，…の並設方向に直交する方向に延びる。隔壁１４の長さは、正面部材１１（及び背面部材１２）の一辺の長さより短い。隔壁１４の短辺はどこにも固定されていない。故に、各空気室１３の長手方向の両端部は、隣り合う空気室１３の長手方向の両端部に連通している。
【００２３】
図５に示すように、最中央の隔壁１４の左右方向の配置位置と、背面部材１２の貫通孔１２１の左右方向の配置位置とは互いに同じである。最中央の隔壁１４が貫通孔１２１に干渉しないように、隔壁１４の長手方向の中央部は欠落している。故に、最中央の隔壁１４によって隔てられている空気室１３，１３は、隔壁１４の欠落部分を通しても連通している。
【００２４】
図６は、エアクッションの斜視図である。
図中３はエアクッションであり、エアクッション３は、クッション本体１とカバー４とを備える。
図７は、カバー４の分解平面図である。
図６及び図７に示すカバー４は、１枚の表部材４１と２枚の裏部材４２，４２とを備える。表部材４１及び裏部材４２，４２夫々は柔軟なシートであり、例えば伸縮性を有する布帛である。
【００２５】
表部材４１は、クッション本体１の形状に対応する正方形状をなす。
裏部材４２，４２夫々は長方形状をなす。各裏部材４２の長辺の長さは表部材４１の一辺の長さに略等しい。裏部材４２の短辺の長さは表部材４１の一辺の長さの半分よりも適宜に長い。
【００２６】
裏部材４２，４２は、夫々の２つの長辺の一方が互いに重なった正方形状に配されて、表部材４１の一面に重ね合わされる。表部材４１の四辺が、裏部材４２，４２の周縁に縫い合わされることによって、カバー４が形成される。
カバー４は袋状をなし、裏部材４２，４２間に開口４３が形成される。
裏部材４２，４２が裏部材４２の短辺に沿う方向に互いに離隔することによって、開口４３が開く。開いた開口４３を通して、クッション本体１が露出する。図６は、カバー４の開口４３が開いている状態のエアクッション３を示す。
【００２７】
図８は、カバー４の開口４３が閉じている状態のエアクッション３を示す斜視図である。
裏部材４２，４２夫々の弾性により、開口４３は自然に閉じられる。開口４３が閉じると、クッション本体１が完全に覆われる。
【００２８】
以上のようなエアクッション３を用いる場合、使用者は、クッション本体１をカバー４で覆う。以下では、空気が入っていないクッション本体１をカバー４で覆う場合を説明するが、空気が入っているクッション本体１をカバー４で覆ってもよい。
使用者は、カバー４の裏部材４２，４２に指を掛けてカバー４の開口４３を開き、開口４３を通してカバー４の内側にクッション本体１を入れる。カバー４の内側にクッション本体１を入れるとき、使用者は、クッション本体１の正面部材１１をカバー４の表部材４１に向け、背面部材１２を裏部材４２，４２に向ける。
【００２９】
次に、使用者は、開口４３を通してヒンジ蓋２２を開ける。すると、開口４３を通して空気穴２が露出する。使用者は、露出した空気穴２を通して逆止弁２３を押し開けながらクッション本体１に空気を吹き込む。
クッション本体１に空気を吹き込んだ後、使用者は逆止弁２３から手を離す。すると、逆止弁２３がクッション本体１の内側から空気穴２を閉じるので、空気穴２から空気が漏れ出し難くなる。次いで、使用者は、ヒンジ蓋２２の栓２２１を空気穴２に嵌め込むことによって、空気穴２を閉じる（図６参照）。
【００３０】
次に、使用者はカバー４の裏部材４２，４２から手を離す。すると、裏部材４２，４２の弾性により、開口４３が自然に閉じ、クッション本体１の全体がカバー４に覆われる。カバー４の裏部材４２，４２が互いに重なる部分は、クッション本体１の円環２１及びヒンジ蓋２２を覆う。
クッション本体１の全体がカバー４に覆われているので、エアクッション３の意匠性及び肌触り等が向上する。クッション本体１の円環２１及びヒンジ蓋２２がカバー４によって目隠しされるので、エアクッション３の美観が向上する。
【００３１】
例えば、使用者は、カバー４の裏部材４２，４２を下に向けてエアクッション３を床に載置し、エアクッション３に座る。又は、使用者は、カバー４の裏部材４２，４２を椅子の背もたれに向けてエアクッション３を椅子の座面に載置し、椅子に座ってエアクッション３にもたれる。以上の場合、裏部材４２，４２が目隠しされるので、エアクッション３の美観が向上する。しかも、円環２１及びヒンジ蓋２２が床又は椅子の背もたれに向くので、カバー４を介して円環２１及びヒンジ蓋２２が使用者に接触する虞がない。故に、エアクッション３を使用する使用者が異物感を覚える虞がない。
【００３２】
使用者がエアクッション３に座るかもたれることによってエアクッション３に外力が加わった場合、クッション本体１の内側には空気室１３，１３，…が均等に設けられているので、クッション本体１の全体に均等に空気が行き渡り易い。故に、クッション本体１の内側で空気が偏在することによってエアクッション３の使用感が悪化することを抑制することができる。
開口４３はエアクッション３の背面の中央部にあるので、開口４３がどこにあるのかが分かりやすい。
【００３３】
エアクッション３の使用後、使用者はカバー４の開口４３を開き、空気を入れる場合と同様にして空気穴２が露出する。使用者は、露出した空気穴２を通して逆止弁２３を押し開けながらクッション本体１から空気を抜く。
クッション本体１から空気を抜いた後、使用者はエアクッション３（即ちカバー４が掛かったままのクッション本体１）を折り畳んで収納する。
以上のように、本実施の形態のエアクッション３によれば、カバー４を掛けたままでも容易に空気の出し入れをすることができる。故に、クッション本体１内の空気の量を使用医者の任意のタイミングで調節することができるので、使用者が所望するサポート感を容易に得ることができる。
【００３４】
エアクッション３の使用形態は、使用者がエアクッション３に座るかもたれることに限定されない。例えば、使用者はエアクッション３を机の上に置いて、オフィスでの昼寝の際の枕として用いてもよい。又は、使用者は椅子に座り、自分の膝の上にエアクッション３を置き、エアクッション３の上で本を読んだりタブレットを操作したりしてもよい。
空気が入っているエアクッション３は、断熱層として利用することができるので、例えば冷房冷え対策に適している。使用者の体にエアクッション３を接触させることによって、使用者の体を保温することができる。
エアクッション３はカバー４によって意匠性が向上されているので、室内の装飾としても好適である。
【００３５】
クッション本体１は、表面の清拭によって容易に清潔に保つことができる。カバー４は、洗濯又は他のカバー４との交換によって容易に清潔に保つことができる。故に、エアクッション３は衛生的である。
また、クッション本体１には、中綿を有するクッションに比べて軽量という利点、及びダニ又はカビ等が発生し難いという利点がある。
【００３６】
なお、クッション本体１の形状は正方形状に限定されない。例えばクッション本体１は長方形状又は円形状でもよい。
本実施の形態のカバー４は３枚の布帛を重ね合わせることによって形成されているが、これに限定されるものではない、例えばカバー４は、１枚の布帛を折り畳むことによって形成されてもよい。
カバー４には、例えばファスナによって開閉される開口が設けられていてもよい。
【００３７】
今回開示された実施の形態は、全ての点で例示であって、制限的なものではないと考えられるべきである。本考案の範囲は、上述した意味ではなく、実用新案登録請求の範囲と均等の意味及び実用新案登録請求の範囲内での全ての変更が含まれることが意図される。
【符号の説明】
【００３８】
１      クッション本体
１１    正面部材（シート）
１２    背面部材（シート）
２      空気穴
３      エアクッション
４      カバー
４３    開口
【図１】
0003222871.tif 000003
【図２】
0003222871.tif 000004
【図３】
0003222871.tif 000005
【図４】
0003222871.tif 000006
【図５】
0003222871.tif 000007
【図６】
0003222871.tif 000008
【図７】
0003222871.tif 000009
【図８】
0003222871.tif 000010